【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
通信が確立された基地局装置を介してトラヒックデータの授受を行うための機能を有するとともに、前記基地局装置との間の通信を制御するために必要な制御情報の送受信を行うための機能を有している移動端末との間で通信を行う基地局装置であって、
前記移動端末との通信状態を検知する通信状態検知部と、
前記通信状態検知部の検知結果に基づいて、前記移動端末との通信状態を判断する通信状態判断部と、
前記制御情報に対する設定を行う設定部と、を備え、
前記制御情報は、下りサブフレーム割当情報、前記下りサブフレーム割当情報に含めて送信される下りサブフレーム割当情報以外の制御情報である他の制御情報、及び、前記他の制御情報の通信の堅牢性に関するパラメータを含んでおり、
前記通信状態検知部は、当該基地局装置が送信した前記他の制御情報に対する前記移動端末からの確認応答の受信状況を前記通信状態として検知するものであり、
前記設定部は、前記通信状態判断部の判断結果に基づいて、前記制御情報に含まれる前記パラメータを設定することで、前記他の制御情報についての通信の堅牢性を通信状態に応じて変化させることを特徴とする基地局装置。
【請求項２】
前記通信状態検知部は、当該基地局装置が送信した前記他の制御情報に対する前記移動端末からの前記確認応答の受信数をカウントし、この確認応答の受信数に基づいて当該基地局装置が受信すべき確認応答の未受信数を前記受信状況として求めるものであり、
前記通信状態判断部は、前記通信状態検知部による検知の結果、当該基地局装置が受信すべき前記確認応答の未受信数と、予め設定された閾値とに基づいて通信状態を判断するものであり、
前記設定部は、前記通信状態判断部の判断結果に基づいて、前記パラメータの設定を行う請求項１に記載の基地局装置。
【請求項３】
前記通信状態判断部は、当該基地局装置が受信すべき前記確認応答の未受信数が前記閾値よりも大きいか否かを判断するものであり、
前記設定部は、前記通信状態判断部により前記未受信数が前記閾値よりも大きいと判断された場合、前記パラメータをより堅牢性の高い設定とする請求項２に記載の基地局装置。
【請求項４】
前記通信状態検知部は、前記移動端末ごとに通信状態を検知するものであり、
前記設定部は、前記移動端末ごとに前記パラメータの設定を行う請求項１〜３のいずれか一項に記載の基地局装置。
【請求項５】
通信が確立された基地局装置を介してトラヒックデータの授受を行うための機能を有するとともに、前記基地局装置との間の通信を制御するために必要な制御情報の送受信を行うための機能を有している移動端末と、前記移動端末との間で通信を行う基地局装置と、を備えた無線通信システムにおける前記制御情報の送信条件設定方法であって、
前記制御情報は、下りサブフレーム割当情報、前記下りサブフレーム割当情報に含めて送信される下りサブフレーム割当情報以外の制御情報である他の制御情報、及び、前記他の制御情報の通信の堅牢性に関するパラメータを含んでおり、
前記基地局装置と前記移動端末との間において、前記基地局装置が送信した前記他の制御情報に対する、前記移動端末からの確認応答の受信状況を通信状態として検知する検知ステップと、
前記検知ステップによる検知結果に基づいて、前記基地局装置と前記移動端末との間の通信状態を判断する判断ステップと、
前記判断ステップによる判断結果に基づいて、前記他の制御情報の通信の堅牢性に関するパラメータを設定するパラメータ設定ステップと、
前記設定ステップによって設定された前記制御情報を前記移動端末に送信し、前記パラメータに基づいて前記他の制御情報の送信条件を設定する送信条件設定ステップと、
を有していることを特徴とする制御情報の送信条件設定方法。
【請求項６】
通信が確立された基地局装置を介してトラヒックデータの授受を行うための機能を有するとともに、前記基地局装置との間の通信を制御するために必要な制御情報の送受信を行うための機能を有している移動端末との間で通信を行う基地局装置であって、
前記移動端末との通信状態を検知する通信状態検知部と、
前記通信状態検知部の検知結果に基づいて、前記移動端末との通信状態を判断する通信状態判断部と、
前記制御情報に対する設定を行う設定部と、を備え、
前記制御情報は、下りサブフレーム割当情報、前記下りサブフレーム割当情報に含めて送信される下りサブフレーム割当情報以外の制御情報である他の制御情報、及び、前記他の制御情報の通信の堅牢性に関するパラメータを含んでおり、
前記通信状態検知部は、当該基地局装置が送信した無線品質要求情報に対する前記移動端末からの無線品質応答情報を前記通信状態として検知するものであり、
前記設定部は、前記通信状態判断部の判断結果に基づいて、前記制御情報に含まれる前記パラメータを設定することで、前記他の制御情報についての通信の堅牢性を通信状態に応じて変化させることを特徴とする基地局装置。
【請求項７】
前記通信状態検知部は、前記移動端末ごとに通信状態を検知するものであり、
前記設定部は、前記移動端末ごとに前記パラメータの設定を行う請求項６に記載の基地局装置。
【請求項８】
通信が確立された基地局装置を介してトラヒックデータの授受を行うための機能を有するとともに、前記基地局装置との間の通信を制御するために必要な制御情報の送受信を行うための機能を有している移動端末と、前記移動端末との間で通信を行う基地局装置と、を備えた無線通信システムにおける前記制御情報の送信条件設定方法であって、
前記基地局装置と前記移動端末との間において、前記基地局装置が送信した無線品質要求情報に対する、前記移動端末からの無線品質応答情報を通信状態として検知する検知ステップと、
前記検知ステップによる検知結果に基づいて、前記基地局装置と前記移動端末との間の通信状態を判断する判断ステップと、
前記判断ステップによる判断結果に基づいて、前記制御情報に含まれる、下りサブフレーム割当情報に含めて送信される前記下りサブフレーム割当情報以外の制御情報である他の制御情報の通信の堅牢性に関するパラメータを設定するパラメータ設定ステップと、
前記設定ステップによって設定された前記制御情報を前記移動端末に送信し、前記パラメータに基づいて前記他の制御情報の送信条件を設定する送信条件設定ステップと、
を有していることを特徴とする制御情報の送信条件設定方法。
【手続補正２】
【補正対象書類名】明細書
【補正対象項目名】０００５
【補正方法】変更
【補正の内容】
【０００５】
上記目的を達成するための本発明は、通信が確立された基地局装置を介してトラヒックデータの授受を行うための機能を有するとともに、前記基地局装置との間の通信を制御するために必要な制御情報の送受信を行うための機能を有している移動端末との間で通信を行う基地局装置であって、前記移動端末との通信状態を検知する通信状態検知部と、前記通信状態検知部の検知結果に基づいて、前記移動端末との通信状態を判断する通信状態判断部と、前記制御情報に対する設定を行う設定部と、を備え、前記制御情報は、下りサブフレーム割当情報、前記下りサブフレーム割当情報に含めて送信される下りサブフレーム割当情報以外の制御情報である他の制御情報、及び、前記他の制御情報の通信の堅牢性に関するパラメータを含んでおり、前記通信状態検知部は、当該基地局装置が送信した前記他の制御情報に対する前記移動端末からの確認応答の受信状況を前記通信状態として検知するものであり、前記設定部は、前記通信状態判断部の判断結果に基づいて、前記制御情報に含まれる前記パラメータを設定することで、前記他の制御情報についての通信の堅牢性を通信状態に応じて変化させることを特徴としている。
【手続補正３】
【補正対象書類名】明細書
【補正対象項目名】０００６
【補正方法】変更
【補正の内容】
【０００６】
上記のように構成された基地局装置によれば、設定部によって、制御情報に含まれる、他の制御情報の通信の堅牢性に関するパラメータの設定を行うことができるので、移動端末との通信状態に応じて、他の制御情報についての通信の堅牢性を変化させることができ、制御情報の通信における堅牢性を好適に設定することができる。これにより、移動端末との間における制御情報の通信をより安定して行うことができる。
またこの場合、設定部は、送信した制御情報に対する移動端末からの応答の受信状況に基づいてパラメータを設定することができ、制御情報の通信における堅牢性をより好適に設定することができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
前記通信状態検知部は、当該基地局装置が送信した前記他の制御情報に対する前記移動端末からの前記確認応答の受信数をカウントし、この確認応答の受信数に基づいて当該基地局装置が受信すべき確認応答の未受信数を前記受信状況として求めるものであり、前記通信状態判断部は、前記通信状態検知部による検知の結果、当該基地局装置が受信すべき前記確認応答の未受信数と、予め設定された閾値とに基づいて通信状態を判断するものであり、前記設定部は、前記通信状態判断部の判断結果に基づいて、前記パラメータの設定を行うものであってもよい。
またさらに、この場合、前記通信状態判断部は、当該基地局装置が受信すべき前記確認応答の未受信数が前記閾値よりも大きいか否かを判断するものであり、前記設定部は、前記通信状態判断部により前記未受信数が前記閾値よりも大きいと判断された場合、前記パラメータをより堅牢性の高い設定とするものであることが好ましい。
【手続補正６】
【補正対象書類名】明細書
【補正対象項目名】００１０
【補正方法】変更
【補正の内容】
【００１０】
上記構成によれば、通信状態判断部は、基地局装置が受信すべき応答の未受信数に基づいて、制御情報の通信が適正に行われているか否かを判断することができる。さらに、通信状態判断部によって、制御情報の通信が適正に行われていないと判断される場合に、設定部は、他の制御情報のパラメータをより堅牢性の高い設定とすることができる。この結果、移動端末との間における制御情報の通信の安定性をより高めることができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１６
【補正方法】変更
【補正の内容】
【００１６】
また、本発明は、通信が確立された基地局装置を介してトラヒックデータの授受を行うための機能を有するとともに、前記基地局装置との間の通信を制御するために必要な制御情報の送受信を行うための機能を有している移動端末と、前記移動端末との間で通信を行う基地局装置と、を備えた無線通信システムにおける前記制御情報の送信条件設定方法であって、前記制御情報は、下りサブフレーム割当情報、前記下りサブフレーム割当情報に含めて送信される下りサブフレーム割当情報以外の制御情報である他の制御情報、及び、前記他の制御情報の通信の堅牢性に関するパラメータを含んでおり、前記基地局装置と前記移動端末との間において、前記基地局装置が送信した前記他の制御情報に対する、前記移動端末からの確認応答の受信状況を通信状態として検知する検知ステップと、前記検知ステップによる検知結果に基づいて、前記基地局装置と前記移動端末との間の通信状態を判断する判断ステップと、前記判断ステップによる判断結果に基づいて、前記他の制御情報の通信の堅牢性に関するパラメータを設定するパラメータ設定ステップと、前記設定ステップによって設定された前記制御情報を前記移動端末に送信し、前記パラメータに基づいて前記他の制御情報の送信条件を設定する送信条件設定ステップと、を有していることを特徴としている。
また、本発明は、通信が確立された基地局装置を介してトラヒックデータの授受を行うための機能を有するとともに、前記基地局装置との間の通信を制御するために必要な制御情報の送受信を行うための機能を有している移動端末との間で通信を行う基地局装置であって、前記移動端末との通信状態を検知する通信状態検知部と、前記通信状態検知部の検知結果に基づいて、前記移動端末との通信状態を判断する通信状態判断部と、前記制御情報に対する設定を行う設定部と、を備え、前記制御情報は、下りサブフレーム割当情報、前記下りサブフレーム割当情報に含めて送信される下りサブフレーム割当情報以外の制御情報である他の制御情報、及び、前記他の制御情報の通信の堅牢性に関するパラメータを含んでおり、前記通信状態検知部は、当該基地局装置が送信した無線品質要求情報に対する前記移動端末からの無線品質応答情報を前記通信状態として検知するものであり、前記設定部は、前記通信状態判断部の判断結果に基づいて、前記制御情報に含まれる前記パラメータを設定することで、前記他の制御情報についての通信の堅牢性を通信状態に応じて変化させることを特徴としている。
上記基地局装置において、前記通信状態検知部は、前記移動端末ごとに通信状態を検知するものであり、前記設定部は、前記移動端末ごとに前記パラメータの設定を行うものであってもよい。
また、本発明は、通信が確立された基地局装置を介してトラヒックデータの授受を行うための機能を有するとともに、前記基地局装置との間の通信を制御するために必要な制御情報の送受信を行うための機能を有している移動端末と、前記移動端末との間で通信を行う基地局装置と、を備えた無線通信システムにおける前記制御情報の送信条件設定方法であって、前記基地局装置と前記移動端末との間において、前記基地局装置が送信した無線品質要求情報に対する、前記移動端末からの無線品質応答情報を通信状態として検知する検知ステップと、前記検知ステップによる検知結果に基づいて、前記基地局装置と前記移動端末との間の通信状態を判断する判断ステップと、前記判断ステップによる判断結果に基づいて、前記制御情報に含まれる、下りサブフレーム割当情報に含めて送信される前記下りサブフレーム割当情報以外の制御情報である他の制御情報の通信の堅牢性に関するパラメータを設定するパラメータ設定ステップと、前記設定ステップによって設定された前記制御情報を前記移動端末に送信し、前記パラメータに基づいて前記他の制御情報の送信条件を設定する送信条件設定ステップと、を有していることを特徴としている。